【手続補正書】
【提出日】令和2年11月16日(2020.11.16)
【手続補正１】
【補正対象書類名】特許請求の範囲
【補正対象項目名】全文
【補正方法】変更
【補正の内容】
【特許請求の範囲】
【請求項１】
供給原油から石油化学製品及び燃料製品を製造する統合プロセスであって、
常圧蒸留ユニット（ＡＤＵ）において、前記供給原油から、少なくとも
直留ナフサを含む第一ＡＤＵ留分、
前記供給原油から出る中質留分の少なくとも一部を含む第二ＡＤＵ留分、及び
常圧残油を含む第三ＡＤＵ留分
を分離すること、
減圧蒸留ユニット（ＶＤＵ）において、前記第三ＡＤＵ留分から、少なくとも
減圧軽油を含む第一ＶＤＵ留分、及び
減圧残油を含む第二ＶＤＵ留分
を分離すること、
溶剤脱れき域において、前記減圧残油の少なくとも一部を溶剤脱れきし、脱れき油相及びアスファルト相を回収すること、
留分水素化処理（ＤＨＰ）域において、前記第二ＡＤＵ留分から出る中質留分を水素化処理すること、ならびに少なくとも、第一ＤＨＰ留分及び第二ＤＨＰ留分を回収することであって、前記第一ＤＨＰ留分は、ナフサを含み、及び前記第二ＤＨＰ留分は、ディーゼル燃料製造に使用される、前記水素化処理すること、ならびに前記回収すること、
軽油水素化処理（ＧＯＨＰ）域において、前記第一ＶＤＵ留分から出る減圧軽油及び前記溶剤脱れき工程から出る脱れき油を水素化処理すること、ならびにＬＰＧ、ナフサ、及び中質留分範囲の成分を含む常圧残油終点以下で沸騰する成分を含有する第一ＧＯＨＰ留分、及び重質油を含有する第二ＧＯＨＰ留分を回収することであって、前記重質油は、減圧軽油範囲の水素化精製軽油または未転化油である、前記水素化処理すること、ならびに前記回収すること、
混合原料水蒸気分解（ＭＦＳＣ）域において、前記第一ＡＤＵ留分から出るナフサ及び芳香族化合物抽出域に由来する抽残液を、ならびに軽油水蒸気分解（ＧＯＳＣ）域において、重質油を、水蒸気分解することであって、水蒸気分解は、少なくとも、混合生成物流Ｈ２、メタン、エタン、エチレン、混合Ｃ３、及び混合Ｃ４、熱分解ガス、及び熱分解油を回収するのに有効な条件下で作動する、前記水蒸気分解すること、
前記混合生成物流から、Ｈ２、メタン、非オレフィンＣ２−Ｃ４、ならびに石油化学製品であるエチレン、プロピレン、及びブチレンを回収すること、
ナフサ水素化処理域において、水蒸気分解から出た熱分解ガスを水素化処理すること、及び水素化精製された熱分解ガスを回収すること、
芳香族化合物抽出域において、石油化学芳香族化合物製品回収のため、水素化精製熱分解ガスから芳香族化合物を、及び芳香族化合物抽出域抽残液を、分離することであって、芳香族化合物抽出に由来する前記抽残液は、前記芳香族化合物抽出域抽残液の全部または一部である、前記分離すること、
を含む、前記統合プロセス。
【請求項２】
前記溶剤脱れき工程は、
前記減圧残油を、メイクアップ溶媒及び任意選択で新鮮な溶媒と混合すること、
前記混合物を、一次セトラーに移すことであって、前記一次セトラーにおいて、一次脱れき及び脱金属油相ならびに一次アスファルト相が形成される、前記移すこと、
前記一次脱れき及び前記脱金属油相を、二次セトラーに移すことであって、前記二次セトラーにおいて、前記二次脱れき及び前記脱金属油相ならびに二次アスファルト相が形成される、前記移すこと、
前記二次アスファルト相を、前記一次セトラーに循環使用して、さらなる脱れき及び脱金属油を回収すること、
前記二次脱れき及び脱金属油相を、脱れき及び脱金属油分離域に送り、循環使用溶媒流ならびに実質的に溶媒を含まない脱れき及び脱金属油流を得ること、
前記一次アスファルト相を、さらなる循環使用溶媒流及び塔底アスファルト相のフラッシュ分離のための分離装置容器に送ること、
を含み、
前記実質的に溶媒を含まない脱れき及び脱金属油流の少なくとも一部は、前記減圧軽油水素化処理域で処理される前記脱れき油である、
請求項１に記載の統合プロセス。
【請求項３】
さらに、水蒸気分解から出る熱分解油の少なくとも一部は、前記溶剤脱れき工程で処理される、請求項１または２に記載の統合プロセス。
【請求項４】
さらに、熱分解油は、軽質熱分解油及び重質熱分解油を含み、
軽質熱分解油の少なくとも一部は、脱れき油とブレンドされ、
重質熱分解油の少なくとも一部は、前記溶剤脱れき工程で処理される、請求項１または２に記載の統合プロセス。
【請求項５】
前記第二ＡＤＵ留分中の前記中質留分は、灯油燃料製品を回収するために灯油精製プロセスで処理される灯油、及び前記留分水素化処理域で処理される前記第二ＡＤＵ留分の前記一部である直留ディーゼル留分を含む、請求項１から３のいずれか１項に記載のプロセス。
【請求項６】
さらに、前記第二ＡＤＵ留分中の前記中質留分は、前記ＧＯＨＰ域または前記ＧＯＳＣ域で処理される重質常圧軽油を含む、請求項５に記載のプロセス。
【請求項７】
前記混合生成物流から回収される非オレフィンＣ４は、前記混合生成物流分解域に循環使用されるか、またはさらなる石油化学製品の製造のため、別個の処理域に循環使用され、前記別個の処理域は、前記非オレフィン性Ｃ４のブテンを混合ブタノールに転化するか、または、石油化学的プロピレンおよび前記ＭＦＳＣ域に循環使用されるＣ４／Ｃ５抽残液流を生成するメタセシス反応域である、請求項１から６のいずれか１項に記載のプロセス。
【請求項８】
前記水素化精製熱分解ガスからＣ５を回収すること、
さらなる石油化学製品の製造のため、前記回収されたＣ５を、前記別個の処理域に送ること、
前記回収されたエチレンの一部を、前記別個の処理域に送ること
を含み、
前記別個の処理域は、メタセシス反応域であり、石油化学プロピレン及びＣ４／Ｃ５抽残液流を生成し、Ｃ４／Ｃ５抽残液流は、前記混合原料流分解域に循環使用される、請求項７に記載のプロセス。
【請求項９】
前記水素化精製熱分解ガスからＣ５を回収すること、
前記回収されたＣ５を、前記ＭＦＳＣ域に、さらなる石油化学製品の製造のため前記別個の処理域に、または前記混合原料流分解域及びさらなる石油化学製品の製造のため前記別個の処理域の両方に送ること、
をさらに含む、請求項１から８のいずれか１項に記載のプロセス。
【請求項１０】
石油化学製品及び燃料製品を製造する統合システムであって、
供給原油（１０２）を受け取って分離し、ナフサを含む第一ＡＤＵ留分（１３６）、前記供給原油からの中質留分の少なくとも一部を含む第二ＡＤＵ留分（１２２）、および常圧残油を含む第三ＡＤＵ留分（１１４）を排出するように作動可能な大気蒸留ユニット（ＡＤＵ）（１１０）；
前記第三ＡＤＵ留分（１１４）を受け取って分離し、減圧軽油留分を含む第一ＶＤＵ留分（１６２）および減圧残油を含む第二ＶＤＵ留分（１６８）を排出するように作動可能な減圧蒸留ユニット（ＶＤＵ）（１６０）；
減圧残油を含む第二ＶＤＵ留分（１６８）を受け取って、脱れき油相（８６４）およびアスファルト相（８６６）に分離するように作動可能な溶剤脱れき域（８６０）；
前記第二ＡＤＵ留分（１２２）からの中質留分を受け取って、第一ＤＨＰ留分（１８４）および第二ＤＨＰ留分（１８２）に転化するように作動可能な留分水素化処理（ＤＨＰ）域（１８０）であって、前記第一ＤＨＰ留分はナフサを含み、第二ＤＨＰ留分はディーゼル燃料製造に使用され;
前記第一ＶＤＵ留分（１６２）および前記脱れき油相（８６４）から減圧軽油を受け取って処理し、ナフサ範囲の成分を含有する第一ＧＯＨＰ留分（３０６/３２６）と、前記減圧軽油範囲の水素化処理軽油または未転化油である重質油を含有する第二ＧＯＨＰ留分（３０４/３２４）とを生成するように作動可能な軽油水素化処理（ＧＯＨＰ）ゾーン（３００/３２０）；
（ａ）第一ＡＤＵ留分（１３６）からのナフサと、芳香族化合物抽出域（６２０）からのＣ６-Ｃ９非芳香族抽残液流（６４６）を受け取って、熱分解するために作動可能な混合原料水蒸気分解（ＭＦＳＣ）域（２３０）、および
（ｂ）第２のＧＯＨＰ留分（３０４／３２４）を受け取って、熱分解するために操作可能なガスオイル蒸気分解（ＧＯＳＣ）ゾーン（２５０）を含む水蒸気分解域であって、前記水蒸気分解域は、混合Ｃ１−Ｃ４パラフィンおよびオレフィンを含有する混合生成物流（２３２、２５２）、原熱分解ガソリン流（２３４，２５４）および熱分解油流（２３６，２５６）を生成するように作動可能であり；
前記熱分解ガス流（２３４，２５４）を受け取って処理し、水素化精製熱分解ガス流（６０４）を生成するように作動可能なナフサ水素化処理域（６００）；および
水素化精製熱分解ガソリン流（６０４）を受け取って1つ以上の芳香族生成物流（６２４，６２６）および前記Ｃ６−Ｃ９非芳香族抽残液流（６４６）に分離するように作動可能な前記芳香族化合物抽出域（６２０）、
を含む、前記システム。
【請求項１１】
前記溶剤脱れき域（８６０）は、
第二ＶＤＵ画分（１６８）と溶媒を受け取って、混合し、混合物を生成するために作動可能な溶剤脱れき混合域、
前記混合物を受け取って処理し、一次アスファルト相および一次脱れきおよび脱金属油相を生成するために作動可能な一次セトラー、
前記一次アスファルト相と脱れきおよび脱金属油相を受け取って、処理し、二次アスファルト相および二次脱れきおよび脱金属油相とを生成するために作動可能な二次セトラー、
二次脱れきおよび脱金属油相を受け取って、循環使用溶媒流と実質的に溶媒を含まない脱れきおよび脱金属油流に分離するために、作動可能な脱れきおよび脱金属油分離域,および
前記一次アスファルト相を受け取って、さらなる循環使用溶媒および塔底アスファルト相に分離するための分離装置容器；を含み、
前記ＧＯＨＰ域（３００/３２０）は、実質的に溶媒を含まない脱れきおよび脱金属油流を受け入れて処理するように作動可能である、請求項１０に記載のシステム。
【請求項１２】
前記ＭＦＳＣ域（２３０）は、第一ＤＨＰ留分（１８４）からのナフサ、前記第一ＧＯＨＰ留分（３０６／３２６）からのナフサ、または前記第一ＤＨＰ留分（１８４）からのナフサと前記ＧＯＨＰ留分（３０６／３２６）からのナフサの両方を受け取って、熱分解するために作動可能である、請求項１０または１１に記載のシステム。
【請求項１３】
前記水素化処理域（６００）は、Ｃ５流（６０６）を生成するために作動可能であり、ＭＦＳＣ域（２３０）は、前記Ｃ５流（６０６）を受け取って、熱分解するために作動可能である、請求項１０から１２のいずれか１項に記載のシステム。
【請求項１４】
前記ＡＤＵ（１１０）は、第一ＤＨＰ画分（１８４）からのナフサ、前記ＧＯＨＰ画分（３０６／３２６）からのナフサ、または前記第一ＤＨＰ画分（１８４）からのナフサと前記ＧＯＨＰ画分（３０６／３２６）からのナフサの両方を受け取って、分離するためにさらに操作可能である、請求項１０から１３のいずれか１項に記載のシステム。
【請求項１５】
前記混合生成物流（２３２，２５２）を受け取って、燃料ガス流（２０８）、エチレン流（２０２）、混合Ｃ３流（２８６）、及び混合Ｃ４流（２０６）に分離するよう作動可能なオレフィン回収トレイン（２７０）と、前記混合生成物流から回収したＣ４の一部を受け取ってオレフィン流（５２２）及び非オレフィン流（５２４）に分離するよう作動可能なＣ４蒸留ユニット（５２０）と、を含む請求項１０から１４のいずれか１項に記載のシステム。
【請求項１６】
前記ＭＦＳＣ域（２３０）は、前記非オレフィン流（５２４）を受け取って、熱分解するように作動可能であるか、
前記システムは、さらに、
前記Ｃ４蒸留ユニット（５２０）からの混合ブタノール（５５２）を受け取り、混合ブタノール生成物流（５５４）に転化するために作動可能な混合ブタノール生成域（５５０）、またはＣ５ｓストリーム（６０６）の全部または一部をプロピレンストリーム（５３４）およびＣ４／Ｃ５ラフィネートストリーム（５３８）に受信して変換するために操作可能なメタセシス反応域（５３０）であって、前記ＭＦＳＣゾーンは、Ｃ４／Ｃ５ラフィネートストリーム（５３８）を受け取って、熱分解するために作動可能である、メタセシス反応ゾーン（５３０）を含む、請求項１５に記載のシステム。